(57)【特許請求の範囲】
【請求項１】
所定の被固定体に装着されるミラーと、このミラーの少なくとも左右方向一端側に設けられるとともに、ミラーに重なり合う位置で被固定体に取り付けられる収納部とを備え、
前記ミラーを保持するとともに当該ミラーの上端より上方位置及び又は前記ミラーの下端より下方位置に当該ミラーの左右方向に沿い当該ミラーの左右幅と略同一長さに設定されたガイド部が設けられ、このガイド部の任意の位置で前記ガイド部及び被固定体に前記収納部が固定されることを特徴とする収納部の取付構造。
【請求項２】
前記ミラーの上端より上方位置に前記ガイド部が設けられるとともに、当該ガイド部の上方に蛍光灯が設けられ、この蛍光灯の上端に連なる位置であってミラーの右側若しくは左側に前記収納部が設けられていることを特徴とする請求項１記載の収納部の取付構造。
【請求項３】
前記収納部は、その収納スペースを構成する後壁を含み、当該後壁は、ガイド部及び被固定体に取り付けられることを特徴とする請求項１又は２記載の収納部の取付構造。
【発明の詳細な説明】
【０００１】
【発明の属する技術分野】
本発明は、収納部の取付構造に係り、特に、ミラーキャビネットにおける箱状の収納部をミラーに干渉しない位置で壁面等の被固定体に取り付けることのできる収納部の取付構造に関する。
【０００２】
【従来の技術】
従来より、洗面室等においては、ミラーキャビネットが広く利用されており、このミラーキャビネットとしては図１４ないし図１６に示されるタイプのものが存在する。
【０００３】
すなわち、ミラーキャビネット８０は、ミラー８１の左右両側に縦長の収納部８２をそれぞれ備えており、これら収納部８２は、ミラー８１と部分的に重なり合うように後部壁面８４に取り付けられている。ミラーキャビネット８０の取り付けは、ミラー８１を後部壁面８４に取り付けた後に、収納部８２を側部壁面８５に沿うように後部壁面８４に取り付けることにより行われる。従って、ミラーキャビネット８０は、図１５及び図１６にも示されるように、ミラー８１の大きさを一定としてミラーキャビネット８０全体の左右幅を間口Ｍに対応した左右幅に調整可能となっている。ここで、各収納部８２の後部壁面８４への取り付けは、当該収納部８２における収納スペース８６の後壁８６Ａと後部壁面８４とをねじ８８を用いて上下二箇所位置で取り付けるようになっており、これらねじ８８の取付位置を収納部８２の左右方向中央部とすることで、収納部８２の取付姿勢の安定化が図られる。
【０００４】
【発明が解決しようとする課題】
しかしながら、前記取付構造にあっては、図１５に示される間口Ｍより狭い間口となる場合、ミラー８１とねじ８８とが干渉してしまい、当該間口に対応して収納部８２を取り付けできないという不都合を生じる。従って、前記間口Ｍより狭い間口に対応するには、ミラー８１の左右幅をカットして調整しなければならないが、ミラー８１を施工現場等で調整することは極めて困難且つ煩雑である。このため、複数種類の左右幅を備えたミラー８１を予め用意することが不可避的に要求されるという不都合も招来する。
【０００５】
【発明の目的】
本発明は、このような不都合に着目して案出されたものであり、その目的は、ミラー幅を調整することなく、ミラーキャビネットを取り付けるための長短様々な間口に柔軟に対応することができる収納部の取付構造を提供することにある。
【０００６】
【課題を解決するための手段】
前記目的を達成するため、本発明は、所定の被固定体に装着されるミラーと、このミラーの少なくとも左右方向一端側に設けられるとともに、ミラーに重なり合う位置で被固定体に取り付けられる収納部とを備え、
前記ミラーを保持するとともに当該ミラーの上端より上方位置及び又は前記ミラーの下端より下方位置に当該ミラーの左右方向に沿い当該ミラーの左右幅と略同一長さに設定されたガイド部が設けられ、このガイド部の任意の位置で前記ガイド部及び被固定体に前記収納部が固定される、という構成を採っている。このような構成によれば、収納部の殆どの領域がミラーの面内に重なり合う場合であっても、収納部をミラーに干渉しない位置で被固定体に取り付けることができ、これにより、従来例と比べてミラー及び収納部全体の左右幅の可変範囲を大きくすることが可能となる。また、収納部の取り付け位置が明確になり、且つ、収納部の取り付け前に、当該収納部をガイド部に沿わせることによって可変する間口に容易に対応することが可能となる。更に、間口幅に合わせてガイド部の長さを調整することが不要となり、長短様々な間口の対応をより簡単に行うことができる。
【０００７】
【発明の実施の形態】
本発明において、前記ミラーの上端より上方位置に前記ガイド部が設けられるとともに、当該ガイド部の上方に蛍光灯が設けられ、この蛍光灯の上端に連なる位置であってミラーの右側若しくは左側に前記収納部が設けられる、という構成を採ることが好ましい。
【０００８】
また、前記収納部は、その収納スペースを構成する後壁を含み、当該後壁は、ガイド部及び被固定体に取り付けられる、という構成を採用することができる。
【００１２】
【実施例】
以下、本発明の実施例を図面を参照しながら説明する。
【００１３】
［第１実施例］
図１には、本発明に係る収納部の取付構造がミラーキャビネットに適用された第１の実施例の概略正面図が示され、図２には、図１の拡大側面図が示されている。これらの図において、ミラーキャビネット１０は、洗面室等に設けられた洗面ボウル付きキャビネット１１の上方位置に設けられているとともに、当該洗面室の側部壁面Ｗ１，Ｗ１間に配置され、間口Ｍと略同一となる左右幅に設けられている。このミラーキャビネット１０は、被固定体としての後部壁面Ｗ２に固定されたミラー１２と、このミラー１２の上端より上方に位置する上部ガイド部１３と、ミラー１２の下端より下方に位置する下部ガイド部１４と、ミラー１２の左右両側に設けられた収納部１６とを備えて構成されている。
【００１４】
前記上部ガイド部１３は、ミラー１２の左右方向に延びて前記間口Ｍと略同一の長さに設けられているとともに、ミラー１２の上端側を保持する枠としての機能を備えている。すなわち、上部ガイド部１３は、図３に示されるように、ミラー１２の上端を保持する下向きコ字状の保持部１７と、この保持部１７の上端側に連なって後部壁面Ｗ２に沿う位置に設けられた鉛直面部１８と、この鉛直面部１８の上端に連なって図３中左方向に突出する水平面部１９とを備えている。鉛直面部１８は、図１に示されるように、左右方向所定間隔毎にねじ２１を用いて後部壁面Ｗ２に固定され、これにより、ミラー１２が後部壁面Ｗ２に固定されることとなる。
【００１５】
前記下部ガイド部１４は、前記上部ガイド部１３と同じ部材により構成され、上部ガイド部１３を上下逆向きとしてミラー１２の下端を保持するものである。従って、図面に同一符号を用いて説明を省略する。
【００１６】
前記各収納部１６，１６は、図１に示されるように、ミラー１２の左右両側に部分的に重なり合うとともに、各側部壁面Ｗ１，Ｗ１に沿う位置にそれぞれ設けられている。各収納部１６，１６は、図２及び図３に示されるように、ミラー１２の上下幅より大きい上下幅を有する収納部本体２２と、この収納部本体２２の上下方向に沿って設けられた三段の収納スペース２３と、収納部本体２２の下端側における前後幅（図２中左右幅）を小さくするように設けられた湾曲面部２４と、収納部本体２２の裏面側上端及び下端に連なって後部壁面Ｗ２側に突出する上下一対の位置決め部２６，２６と、収納部本体２２の上下両側に形成されて当該収納部本体２２を前後方向に貫通する段付き穴２７とを備えて構成されている。各段付き穴２７には、収納部１６の前方からねじ２８が挿入され、当該ねじ２８は、上部及び下部のガイド部１３，１４及び後部壁面Ｗ２に向かってねじ込み可能とされている。
【００１７】
以上の構成において、ミラーキャビネット１０を図１に示される後部壁面Ｗ２に取り付ける場合には、先ず、上部及び下部のガイド部１３，１４を間口Ｍと略同一の長さに切断し、ミラー１２の上下両端側に装着する。そして、各ガイド部１３，１４を後部壁面Ｗ２にねじ２１によって固定し、ミラー１２を所定位置に取り付ける。次に、左右一対の収納部１６，１６を側部壁面Ｗ１，Ｗ１にそれぞれ沿わせながら対応する位置決め部２６，２６の間に上部及び下部のガイド部１３，１４を嵌め込ませ、この状態で、段付き穴２７，２７にねじ２８を挿入して各ガイド部１３，１４及び後部壁面Ｗ２に固定することにより、ミラー１２の左右両側に収納部１６，１６をそれぞれ取り付けることができる。
【００１８】
また、図４に示されるように、図１に示される間口Ｍより狭い間口Ｍにミラーキャビネット１０を取り付ける作業も、前述と同様にして行うことができる。すなわち、間口Ｍに対応して上部及び下部のガイド部１３，１４の長さを短くし、各収納部１６の取付位置をミラー１２の中央寄りとすることで、ミラー１２の左右幅を小さくするように切断することなく、ミラーキャビネット１０を間口Ｍに対応して取り付けることが可能となる。
【００１９】
従って、このような第１の実施例によれば、各収納部１６，１６を上部及び下部のガイド部１３，１４の任意の位置に取り付け可能となるため、図５に示されるように、ミラー１２の左右幅を一定とした場合におけるミラーキャビネット１０の左右幅の可変範囲Ｌ１を従来タイプの取付構造の可変範囲Ｌ２（図１６参照）と比べて大きく確保することができ、これにより、従来より広い範囲の間口Ｍに対応することが可能となる。
【００２０】
次に、本発明の前記以外の実施例について説明する。なお、以下の説明において、前記第１の実施例と同一若しくは同等の構成部分については必要に応じて同一符号を用いるものとし、説明を省略若しくは簡略にする。
【００２１】
［第２実施例］
図６には、本発明の第２の実施例が示されている。この実施例は、上部ガイド部１３と収納部１６との間に係合部３０を設け、収納部１６を上部及び下部のガイド部１３，１４にねじ止め固定する前に、収納部１６の取付姿勢を維持可能としたところに特徴を有する。
【００２２】
すなわち、第２の実施例における上部ガイド部１３は、鉛直面部１８に連なって当該鉛直面部１８と後部壁面Ｗ２との間に隙間Ｓを生じさせるスペーサ３１を備えており、この隙間Ｓに後述する係合片が差し込み可能となっている。
【００２３】
また、収納部１６は、中空形状に設けられるとともに、第１の実施例に示された収納部１６と略同一の外観となるように形成されている。この収納部１６は、後部側を開放する形状に設けられた収納部本体３２と、この収納部本体３２の開放側を塞ぐように設けられた後壁部３３とを備えて構成されている。後壁部３３の上下両側には、収納部本体３２の上下後端側の各内面にそれぞれ接合される上部屈曲部３４及び下部屈曲部３５が連設され、これら上部及び下部の屈曲部３４，３５が第１の実施例で示した位置決め部２６と同様に作用するようになっている。また、上部屈曲部３４の図６中右端側には、下方向に延びて前記隙間Ｓ内に位置する係合片３７が設けられ、この係合片３７と隙間Ｓとにより前記係合部３０が構成される。
【００２４】
前記収納部本体３２の上下正面（図６中左側面）には、ねじ２８の通過を許容する大きさに設けられた大径穴３８がそれぞれ設けられている一方、後壁部３３の上下両側には、ねじ２８を挿通させる小径穴３９がそれぞれ設けられている。各大径穴３８には、当該大径穴３８に嵌合可能なキャップ４０が設けられ、収納部１６をねじ止めした後に大径穴３８を閉塞できるようになっている。
【００２５】
従って、このような第２の実施例によれば、係合片３７を上部ガイド部１３に係合させることにより、収納部１６から手を離した状態で当該収納部１６を後部壁面Ｗ２に容易にねじ止めすることができる。また、収納部１６を上部ガイド部１３に沿ってスライドさせることも可能となり、長短様々な間口Ｍへの対応をスムースに行うことができる。
【００２６】
［第３実施例］
図７には、本発明の第３の実施例が示されている。この実施例は、上部ガイド部１３側と下部ガイド部１４側の双方に係合部４３を設けたところに特徴を有する。各係合部４３は、収納部本体４４の裏面側上下両端にそれぞれ連なって鉛直面上に位置する上部係合片４５及び下部係合片４６と、上部及び下部のガイド部１３，１４の保持部１７に連なるとともに、鉛直面部１８と相互に作用して上部及び下部の係合片４３，４４を中間に位置可能とする上下一対の引っ掛け片部４８とにより構成されている。
【００２７】
第３の実施例における収納部１６を上部及び下部のガイド部１３，１４に取り付ける場合、先ず、下部係合片４６を下部ガイド部１４の鉛直面部１８と引っ掛け片部４８との間に差し込んだ後、収納部本体４４を持ち上げるようにして上部ガイド部１３の保持部１７上に上部係合片４５を配置させる。これにより、上下の係合部４３の係合状態が確保され、この状態で、各収納部１６を左右方向（図７中紙面直交方向）にスライドさせて側部壁面Ｗ１，Ｗ１に沿う位置に配置する。そして、上部及び下部の係合片４５，４６に設けられた小径穴４９に挿入されるねじ２８によって収納部１６を各ガイド部１３，１４に固定した後、収納部本体４４の正面側に位置する大径穴５１にキャップ５２を装着することで収納部１６の取り付け作業を完了することができる。
【００２８】
従って、このような第３の実施例によれば、収納部本体４４の上下両側に係合部４３をそれぞれ設けたから、収納部１６のねじ止め前に、当該収納部１６のスライド移動を安定的に行うことができ、間口Ｍへの対応をスムースに行うことが可能となる。
【００２９】
［第４実施例］
図８及び図９には、本発明の第４の実施例が示されている。この実施例は、上部ガイド部１３の上方に蛍光灯５５を設け、この蛍光灯５５の上端に連なる位置であってミラー１２の右側に収納部１６を設けたところに特徴を有する。この収納部１６における最上位の収納スペース２３を構成する後壁２３Ａには、その左右二箇所位置に穴５６，５６が設けられ、これら穴５６，５６よりねじ２８を上部ガイド１３にねじ込むことにより、収納部１６が上部ガイド部１３及び後部壁面Ｗ２に取り付け可能となっている。これにより、蛍光灯５５及び収納部１６を左側に寄せるか、右側に寄せるかの何れも選択することが可能となる。
【００３０】
［第５実施例］
図１０ないし図１３には、本発明の第５の実施例が示されている。ここで、図１１及び図１２は、図１０のＣ−Ｃ線、Ｄ−Ｄ線矢視断面図を示し、図１３は、以下に述べる連結部材を下面側から見た斜視図を示している。この実施例は、収納部１６が、その上下両側に設けられた連結部材５８を介して上部及び下部のガイド部１３，１４及び後部壁面Ｗ２に取り付け可能とした点に特徴を有する。これを更に詳述すると、連結部材５８は、図１１に示されるように、収納部１６の上面及び下面と略平行に設けられた上下一対の平面部５９と、これら平面部５９の後端片側（左側）に連なって鉛直面上に位置するとともに、上部及び下部のガイド部１３，１４に沿う位置に設けられた上下一対の鉛直面部６０と、上下の各平面部５９，５９の後端右側に連なって後部壁面Ｗ２に沿う位置に設けられたコ字状部６１（図１２参照）とにより構成されている。平面部５９、鉛直面部６０及びコ字状部６１には、図１３にも示されるように、それぞれの面内にねじ２８を挿通可能な穴６３が形成されている。
【００３１】
第５の実施例における収納部１６を後部壁面Ｗ２に取り付ける場合、先ず、図１３に示されるように、鉛直面部６０を上部及び下部のガイド部１３，１４に沿わせるとともに、コ字状部６１を側部壁面Ｗ１に突き当たるように位置させた後、鉛直面部６０を各ガイド部１３，１４にねじ止めし、コ字状部６１を後部壁面Ｗ２にねじ止めする。次に、収納部１６を上下一対の平面部５９，５９間に挿入して側部壁面Ｗ１に沿う位置にセットし、収納部１６の上下両側から各平面部５９と収納部１６とをねじ止めすることにより、当該収納部１６が取り付けられることとなる。
【００３２】
従って、このような第５の実施例によれば、連結部材５８に鉛直面部６０とコ字状部６１とを設けたから、各ガイド部１３，１４の長さがミラー１２の左右幅と同一とした場合であっても、収納部１６をミラー１２の上下両側で容易に取り付けることが可能となる。また、収納部１６の前面側に穴を設けることなく当該収納部１６を取り付けることができ、外観上の体裁を良好に保持することができる。
【００３４】
また、前記各ガイド部１３，１４の形状は、図示構成例に限られず、例えば、鉛直面部１８の厚さを厚くする等の設計変更も考えられる。これにより、収納部１６を取り付けるためのねじ２８が後部壁面Ｗ２に達することなく鉛直面部１８で保持されることとなる。
【００３５】
更に、前記各実施例では、各ガイド部１３，１４の長さをミラー１２の左右幅よりも長くしたが、各ガイド部１３，１４の長さをミラー１２の左右幅と略同一に設定し、収納部１６を各ガイド部１３，１４又は後部壁面Ｗ２に固定可能な構成とすることもできる。この場合、例えば、ミラー１２の左右幅よりも幅広となる間口Ｍへの収納部１６の取り付け時には、後部壁面Ｗ２のうち各ガイド部１３，１４の側方部分に収納部１６が固定される一方、ミラー１２の左右幅程度の間口Ｍへの収納部１６の取り付け時には、前述したように各ガイド部１３，１４に収納部１６が固定される。従って、この場合には、ガイド部１３，１４の切断等の調整作業が不要になる。
【００３６】
【発明の効果】
以上説明したように、本発明は、収納部をミラーの上端より上方位置で被固定体に取り付ける構成としたから、収納部をミラーに重ね合わせて取り付けるときに、当該重ね合わせ領域の広さに拘わらず収納部をミラーとの位置的干渉のない位置で被固定体に取り付けることができ、従来例と比較してミラー及び収納部全体の左右幅の可変範囲を大きくすることが可能となる。
【００３７】
また、ミラーの上端より上方位置及び又はミラーの下端より下方位置にガイド部を設け、このガイド部の任意の位置で収納部が取り付けられるから、収納部をガイド部に沿わせることができ、間口に対応した収納部の取付を容易に行うことが可能となる。
【００３８】
更に、前記ガイド部の長さを前記ミラーの左右幅と略同一に設定するとともに、ガイド部又は壁面に前記収納部を固定した場合には、より簡単な作業で間口対応が可能となる。
【図面の簡単な説明】
【図１】第１の実施例に係る収納部の取付構造がミラーキャビネットに適用された場合の概略正面図。
【図２】図１の拡大側面図。
【図３】図４のＡ−Ａ線に沿う拡大断面図。
【図４】間口を狭くした状態を示す図１と同様の正面図。
【図５】ミラーキャビネットの左右幅の可変範囲を示す説明図。
【図６】第２の実施例を示す図３と同様の断面図。
【図７】第３の実施例を示す図３と同様の断面図。
【図８】第４の実施例を示す図１と同様の正面図。
【図９】図８のＢ−Ｂ線に沿う拡大断面図。
【図１０】第５の実施例を示す図１と同様の正面図。
【図１１】図１０のＣ−Ｃ線に沿う拡大断面図。
【図１２】図１０のＤ−Ｄ線に沿う拡大断面図。
【図１３】連結部材を下面側から見た拡大斜視図。
【図１４】従来例に係るミラーキャビネットの概略正面図。
【図１５】間口を狭くした状態を示す図１４と同様の正面図。
【図１６】従来例に係るミラーキャビネットの左右幅の可変範囲を示す説明図。
【符号の説明】
１０・・・ミラーキャビネット、１２・・・ミラー、１３・・・上部ガイド部（ガイド部）、１４・・・下部ガイド部（ガイド部）、１６・・・収納部、２６・・・位置決め部、３０，４３・・・係合部、５８・・・連結部材、Ｗ２・・・後部壁面（被固定体）
【図１】
0003609350.tif 000002
【図２】
0003609350.tif 000003
【図３】
0003609350.tif 000004
【図４】
0003609350.tif 000005
【図５】
0003609350.tif 000006
【図６】
0003609350.tif 000007
【図７】
0003609350.tif 000008
【図８】
0003609350.tif 000009
【図９】
0003609350.tif 000010
【図１０】
0003609350.tif 000011
【図１１】
0003609350.tif 000012
【図１２】
0003609350.tif 000013
【図１３】
0003609350.tif 000014
【図１４】
0003609350.tif 000015
【図１５】
0003609350.tif 000016
【図１６】
0003609350.tif 000017